(57)【要約】【課題】コンパクト化ができ、引き紐の着脱作業性がよい火災警報器を提供する。  【解決手段】筐体１０内に収容され、火災検出部が搭載された回路基板と、略Ｌ字形状をなし、一端部に押し釦部６ａ及び他端部に引き紐係止部６ｂを有するスイッチキャップと、引き紐係止部６ｂに着脱可能に係止され、スイッチキャップ６を作動させる引き紐７とを備え、本体１の周縁部の近傍の背面１ｃに設けられた凹部３と、この凹部３の底面に設けられ、スイッチキャップの引き紐係止部６ｂが挿入される貫通孔１ａと、スイッチキャップの引き紐係止部６ｂに設けられた引き紐固定溝６ｃと、を備え、引き紐係止部６ｂは、本体１の背面１ｃより突出せず、かつ、引き紐固定溝６ｃが凹部３の底面から所定の間隔となるようにした。  【選択図】図１
2008234307.tif 000002
【特許請求の範囲】
【請求項１】
本体とカバーからなる筐体と、この筐体内に収容され、火災検出部とスイッチが搭載された回路基板と、略Ｌ字形状をなし、一端部に前記カバーに支持される可動軸を有する押し釦部及び他端部に引き紐係止部を有し、前記スイッチを操作するスイッチキャップと、前記引き紐係止部に着脱可能に係止され、前記スイッチキャップを前記筐体の内方に引いて前記スイッチを作動させる引き紐と、を備えた火災警報器において、
前記本体の周縁部の近傍の背面に設けられた凹部と、
この凹部の底面に設けられ、前記スイッチキャップの引き紐係止部が挿入される貫通孔と、
前記スイッチキャップの前記引き紐係止部に設けられた引き紐固定溝と、
を備え、
前記引き紐係止部は、前記本体の前記背面より突出せず、かつ、前記引き紐固定溝が前記凹部の底面から所定の間隔となるようにしたことを特徴とする火災警報器。
【請求項２】
前記貫通孔が設けられた凹部の底面に、前記引き紐の結び目の外形と略同一幅で前記貫通孔に連なる引き紐ガイド溝を設けたことを特徴とする請求項１記載の火災警報器。
【請求項３】
前記引き紐係止部の一辺の外側に前記引き紐をガイドする段差部を設けたことを特徴とする請求項１記載の火災警報器。
【発明の詳細な説明】
【技術分野】
【０００１】
コンパクト化ができ、引き紐の着脱作業性がよい火災警報器に関するものである。
【背景技術】
【０００２】
従来の検知器は、取付ベースと、検知手段及び検知手段の動作を切り替えるスイッチを収納する本体と、スイッチを駆動させるフックと、本体の外面に突設する凸部と、一端部結び目を凸部の凹部に係合し中央部をフックの一部に引っ掛けて係合し他端部側からの引張操作によりフックを作動させる引き紐と、を備えている（例えば、特許文献１参照）。
【特許文献１】特開２００６−２４４４０８号公報（段落００１１〜００２２、図１〜６）
【発明の開示】
【発明が解決しようとする課題】
【０００３】
従来の検知器は、引き紐の結び目を固定する凸部が底面から突設していたため、係合する取付ベースに逃げを設けたりする等の余分なスペースが必要とする問題があった。
【０００４】
この発明は上述のような課題を解決するためになされたもので、コンパクト化ができ、引き紐の着脱作業性がよい火災警報器を提供することを目的とする。
【課題を解決するための手段】
【０００５】
この発明の火災警報器は、本体とカバーからなる筐体と、この筐体内に収容され、火災検出部とスイッチが搭載された回路基板と、略Ｌ字形状をなし、一端部に前記カバーに支持される可動軸を有する押し釦部及び他端部に引き紐係止部を有し、前記スイッチを操作するスイッチキャップと、前記引き紐係止部に着脱可能に係止され、前記スイッチキャップを前記筐体の内方に引いて前記スイッチを作動させる引き紐と、を備えた火災警報器において、前記本体の周縁部の近傍の背面に設けられた凹部と、この凹部の底面に設けられ、前記スイッチキャップの引き紐係止部が挿入される貫通孔と、前記スイッチキャップの前記引き紐係止部に設けられた引き紐固定溝と、を備え、前記引き紐係止部は、前記本体の前記背面より突出せず、かつ、前記引き紐固定溝が前記凹部の底面から所定の間隔となるようにしたものである。
【０００６】
また、前記貫通孔が設けられた凹部の底面に、前記引き紐の結び目の外形と略同一幅で前記貫通孔に連なる引き紐ガイド溝を設けたものである。
さらに、前記引き紐係止部の一辺の外側に前記引き紐をガイドする段差部を設けたものである。
【発明の効果】
【０００７】
この発明によれば、本体とカバーからなる筐体と、この筐体内に収容され、火災検出部とスイッチが搭載された回路基板と、略Ｌ字形状をなし、一端部に前記カバーに支持される可動軸を有する押し釦部及び他端部に引き紐係止部を有し、前記スイッチを操作するスイッチキャップと、前記引き紐係止部に着脱可能に係止され、前記スイッチキャップを前記筐体の内方に引いて前記スイッチを作動させる引き紐と、を備えた火災警報器において、前記本体の周縁部の近傍の背面に設けられた凹部と、この凹部の底面に設けられ、前記スイッチキャップの引き紐係止部が挿入される貫通孔と、前記スイッチキャップの前記引き紐係止部に設けられた引き紐固定溝と、を備え、前記引き紐係止部は、前記本体の前記背面より突出せず、かつ、前記引き紐固定溝が前記凹部の底面から所定の間隔となるようにしたので、コンパクト化ができ、また、引き紐の着脱作業性をよくすることができる。
【０００８】
また、前記貫通孔が設けられた凹部の底面に、前記引き紐の結び目の外形と略同一幅で前記貫通孔に連なる引き紐ガイド溝を設けたので、引き紐の着脱作業性をよくすることができる。
さらに、前記引き紐係止部の一辺の外側に前記引き紐をガイドする段差部を設けたので、引き紐を簡単にカバー溝に誘導することができる。
【発明を実施するための最良の形態】
【０００９】
実施の形態１．
図１はこの発明の実施の形態１を示す火災警報器の斜視図であり、図１（ａ）は取付ベース（図示せず）を外したときの斜視図、図１（ｂ）は引き紐係止部の部分拡大図である。
図２は図１のＢ−Ｂ部分断面図、図３は実施の形態１を示す火災警報器のスイッチキャップの構造図である。
【００１０】
図１〜図３において、火災警報器は、本体１とカバー５からなる筐体１０と、この筐体１０内に収容され、火災検出部（図示せず）及び警報音停止用のタクトスイッチ９等が搭載された回路基板４と、警報ブザー（図示せず）と、略Ｌ字形状をなし、一端部にカバー５に設けられた受け溝部５ｂに支持される可動軸６ｄとタクトスイッチ９を作動させる凸部６ｅを有する押し釦部６ａ及び他端部に引き紐係止部６ｂを有するスイッチキャップ６と、引き紐係止部６ｂに着脱可能に係止され、カバー５の周壁の端部に設けられたカバー溝５ａから引き出され、スイッチキャップ６を筐体１０の内方に引いてタクトスイッチ９を作動させる引き紐７と、本体１の背面１ｃに係止され、天井面等への取付用ねじ穴を有する取付板（図示せず）とを備えている。
【００１１】
本体１は、略有底円筒形状をなし、背面１ｃに形成された凹状のバッテリ収納部２と、本体１の周壁の近傍の背面１ｃに設けられ、バッテリ収納部２と連なった凹部３の底面３ａに設けられ、スイッチキャップ６の引き紐係止部６ｂが挿入される貫通孔１ａが設けられている。  また、バッテリを保持する固定片８が設けられている。
カバー５には、底部の中心部に火災検出部（図示せず）が設けられ、また、カバー５の前面には、スイッチキャップ６の押し釦部６ａ用の穴５ｃが設けられている。
【００１２】
スイッチキャップ６は、押し釦部６ａと、表示灯カバー部６ｆと、可動軸６ｄと、引き紐係止部６ｂとが一体化されており、引き紐係止部６ｂには引き紐固定溝６ｃが設けられている。また、引き紐係止部６ｂにおいて、引き紐固定溝６ｃの引き紐係止部６ｂの先端部側を、伸延して引掛け片６ｈを設けている。また、引き紐係止部６ｂ側の一辺の外側に引き紐固定溝６ｃの略同一幅で引き紐７をガイドする段差部６ｇを設けている。
なお、引き紐固定溝６ｃは引き紐７がガイドされやすく、さらに、引き紐７の操作時に外れにくくするため、段差部６ｇに対して略直交方向に設けられている。
そして、組み立て後、引き紐係止部６ｂは、本体１の前記背面１ｃより突出せず、かつ、引き紐固定溝６ｃが凹部３の底面３ａからの間隔は引き紐７が工具等を使用せずに着脱可能な間隔としている。
また、引き紐７は、一端に引き紐結び目７ａを、他端につまみ部７ｂを設け、引き紐結び目７ａをスイッチキャップ６の引き紐係止部６ｂの引き紐固定溝６ｃに着脱可能としている。
【００１３】
次に、本実施形態の火災警報器の組立について説明する。まず、図２に示すように、スイッチキャップ６の可動軸６ｄをカバー５の受け溝部５ｂに、押し釦部６ａを押し釦部６ａ用の穴５ｃに挿入する。次に、回路基板４及び警報ブザーを各々カバー５の取付箇所にセットする。このとき、回路基板４に搭載されたタクトスイッチ９と押し釦部６ａの凸部６ｅの位置が合っている。次に、図１に示すように、本体１の貫通孔１ａにスイッチキャップ６の引き紐係止部６ｂを通すようにして、本体１をカバー５に挿入する。
【００１４】
このとき、図２に示すように、カバー５の背面と本体１の背面は同一面であり、引き紐係止部６ｂの端部は、本体１の背面１ｃより突出せず、本体１の背面１ｃから下方への段差Ｌ１は、引き紐係止部６ｂが上方に可動可能の段差となり、また、引き紐係止部６ｂの引き紐固定溝６ｃはカバー５のカバー溝５ａから下方への間隔Ｌ２は、引き紐固定溝６ｃに係止された引き紐７が上方に引き上げられるのに十分な間隔となり、さらに、引き紐固定溝６ｃと凹部３の底面３ａとの間隔Ｌ３は引き紐７が着脱可能な間隔となるようにしている。次に、本体１の取付け穴１１にねじ（図示せず）を通してねじ止めし、本体１、回路基板４及び警報ブザー（図示せず）を同時にカバー５に固定する。
【００１５】
次に、図１（ｂ）に示すように、スイッチキャップ６の引き紐係止部６ｂの段差６ｇに略直交する引き紐固定溝６ｃに引き紐７を嵌め込み、引き紐の一端に設けられた結び目７ａが引き紐係止部６ｂの内側に止まるように係合させる。そして、引き紐７のつまみ部７ｂをカバー５のカバー溝５ａから引き出す。そして、バッテリ（図示せず）をバッテリ収納部２に装着し固定片８で固定する。次に、取付板（図示せず）を本体１に取り付ける。
【００１６】
このように組み立てた火災警報器は、火災検出部（図示せず）が火災を検出すると、警報ブザーの鳴動または表示灯（図示せず）の点灯によりスイッチキャップ６が照光式スイッチとして機能することで火災を報知する。この時、引き紐７のつまみ部７ｂを引っ張ると、カバー溝５ａ方向に引き紐７が引かれて、スイッチキャップ６の 引き紐係止部６ｂが上方に移動して、スイッチキャップ６の凸部６ｅが回路基板４に搭載されたタクトスイッチ９を押し、警報ブザーが鳴動停止する。また、火災検出部が火災を検出しなくなると表示灯は消灯する。
【００１７】
次に、引き紐７の取り外しは、まず、取付板から本体１を取り外し、引き紐７の結び目７ａがスイッチキャップ６の引き紐係止部６ｂの引き紐固定溝６ｃに沿って押し出してから引き紐７を取り外す。次に、取付板を本体に取り付ける。
【００１８】
以上のように、本体１とカバー５からなる筐体１０と、この筐体１０内に収容され、火災検出部とタクトスイッチ９が搭載された回路基板４と、略Ｌ字形状をなし、一端部にカバー５に支持される可動軸６ｄを有する押し釦部６ａ及び他端部に引き紐係止部６ｂを有し、タクトスイッチ９を操作するスイッチキャップ６と、引き紐係止部６ｂに着脱可能に係止され、スイッチキャップ６を筐体１０の内方に引いてタクトスイッチ９を作動させる引き紐７とを備えた火災警報器において、本体１の周縁部の近傍の背面１ｃに設けられた凹部３と、この凹部３の底面３ａに設けられ、スイッチキャップ６の引き紐係止部６ｂが挿入される貫通孔１ａと、スイッチキャップ６の引き紐係止部６ｂに設けられた引き紐固定溝６ｃと、を備え、引き紐係止部６ｂは、本体１の背面１ｃより突出せず、かつ、引き紐固定溝６ｃが凹部３の底面３ａから所定の間隔となるようにしたので、コンパクト化ができ、また、引き紐７の着脱作業性をよくすることができる。
【００１９】
また、引き紐係止部６ｂにおいて、引き紐固定溝６ｃの引き紐係止部６ｂの先端部側を、押し釦部６ａ側より長くし、段差６ｇを設けているので、引き紐７を引き紐固定溝６ｃに嵌め込むときに、引き紐７を引き紐固定溝６ｃに入れやすい。また、段差６ｇの設置および引っ掛け片６ｈが引き紐係止部６ｂに接合する十分な幅を持たせたことにより、引き紐係止部６ｂの強度が向上され、引き紐７が引かれたときに、それを外れ難くすることができる。
【００２０】
なお、本実施の形態は、凹部３の底面３ａはバッテリ収納部２の底面２ａに連なっているが必ずしも連なってなくともよい。
また、本実施の形態は、バッテリを電源としているが、商用電源を使用するものでもよく、この場合は、本体１にバッテリ収納部２がなくともよいが、少なくとも凹部３を設けたものとする。
【００２１】
実施の形態２．
図４はこの発明の実施の形態２を示す火災警報器の斜視図であり、図４（ａ）は取付ベース（図示せず）を外したときの斜視図、図４（ｂ）は引き紐係止部の部分拡大図である。
図において、実施の形態１の図１と同一部分には同一の符号を付し説明を省略する。
本体１の貫通孔１ａが設けられた凹部３の底面３ａに、引き紐７の結び目７ａの外形と略同一幅で貫通孔１ａに連なる引き紐ガイド溝１２が設けられている。
【００２２】
この構成において、引き紐７をスイッチキャップ６の引き紐係止部６ｂの引き紐固定溝６ｃに取り付けるには、引き紐７の結び目７ａを引き紐ガイド溝１２に入れ、引き紐７を引き紐ガイド溝１２の入口の近傍で引き紐係止部６ｂの引掛け片６ｈに引っ掛けるようにして引き紐７のつまみ部７ｂをカバー５のカバー溝５ａから引き出す。そして、引き紐７の結び目７ａを引き紐ガイド溝１２内に入れたままの状態で、引き紐７のつまみ部７ｂを引っ張ると引き紐７が引き紐固定溝６ｃに嵌め込まれ、引き紐７の結び目７ａが引き紐ガイド溝１２から抜けて引き紐係止部６ｂの内側に止まり固定される。
【００２３】
以上のように、貫通孔１ａが設けられた凹部３の底面３ａに、引き紐７の結び目７ａの外形と略同一幅で貫通孔１ａに連なる引き紐ガイド溝１２を設けたので、引き紐７の結び目７ａを引き紐ガイド溝１２にセットして、引き紐７を引張るだけで、簡単に引き紐７が引き紐固定溝６ｃに留めることができる。
また、このように、簡単に引き紐７が引き紐固定溝６ｃに留めることができるので、引き紐固定溝６ｃと凹部３の底面３ａとの間隔Ｌ３を小さくできるので、さらに、コンパクト化を図ることができる。
【図面の簡単な説明】
【００２４】
【図１】この発明の実施の形態１を示す火災警報器の斜視図である。
【図２】図２は図１のＢ−Ｂ部分断面図である。
【図３】実施の形態１を示す火災警報器のスイッチキャップの構造図である。
【図４】この発明の実施の形態２を示す火災警報器の斜視図である。
【符号の説明】
【００２５】
１ 本体、１ａ 貫通孔、１ｃ  背面、３ 凹部、３ａ 底面、４ 回路基板、５ カバー、５ａ カバー溝、６ スイッチキャップ、６ａ 押し釦部、６ｂ  引き紐係止部、６ｃ 引き紐固定溝、６ｄ 可動軸、７ 引き紐、７ａ 結び目、９ タクトスイッチ、１０  筐体、１２ 引き紐ガイド溝。
【図１】
2008234307.tif 000003
【図２】
2008234307.tif 000004
【図３】
2008234307.tif 000005
【図４】
2008234307.tif 000006